(57)【特許請求の範囲】
【請求項１】
天板と、底板と、前記天板及び前記底板間に所定間隔をおいて設けられる左右側板とで構成される載置体であって、前記左右側板として、合成樹脂製の外部材と外面に補強リブを形成した合成樹脂製の内部材とを重合した中空構造の左右側板を採用し、前記内部材には前記外部材と重合連結する際のネジを止着する孔が設けられ、また、前記外部材には前記内部材の孔に合致してネジを螺着する円筒体が設けられ、前記外部材と前記内部材とは前記孔，円筒体及びネジにより重合連結されるものであることを特徴とする載置体。
【請求項２】
請求項１記載の載置体において、前記内部材の外面には格子状の補強リブが一体成形されていることを特徴とする載置体。
【請求項３】
請求項１，２いずれか１項に記載の載置体において、前記左右側板には前記底板に形成した取付孔に係合する取付突片が設けられていることを特徴とする載置体。
【請求項４】
請求項１〜３いずれか１項に記載の載置体において、前記内部材の内面にはシボ加工が施されていることを特徴とする載置体。
【請求項５】
請求項１〜４いずれか１項に記載の載置体において、前記載置体には背板が設けられていることを特徴とする載置体。
【請求項６】
請求項１〜５いずれか１項に記載の載置体において、この載置体の天板は、映像機器が載置されるように構成されていることを特徴とする載置体。
【発明の詳細な説明】
【０００１】
【発明の属する技術分野】
本発明は、載置体に関するものである。
【０００２】
【従来の技術】
物を載置する載置体は、従来から天板，底板，側板，背板などに合成樹脂で成形した板状部材を用い、これらを枠体状に組み合わせたものが一般的であり、天板，底板，側板など少なくとも一つは、物を載置する点から荷重に対する強度性が要求され、また、室内に設置するようなものは意匠的外観性、特に外部に露出する表面が奇麗であることが要求される。
【０００３】
例えば、テレビ受像機を載置する載置体の場合、かなりの重量のテレビ受像機を保持する点から左右の側板には荷重に対する強度性が要求され、また、天板の表面は載置するテレビ受像機により覆われ、また、底板の裏面は設置面と接触しているので、左右の側板の表面に奇麗な外観性が要求されている。
【０００４】
図４は従来における載置体を構成する側板の要部の平断面図で、プラスチックを射出成形して形成した側板101は、外部材102と内部材103と補強リブ104とを一体に射出成形し、外部材102と内部材103とは補強リブ104を介して一体に成形された中空構造である。
【０００５】
【発明が解決しようとする課題】
ところで、図４に図示した側板101にあっては、成形の際に、側板101の表面にヒケやフローマークが発生し易く、特に外観性に影響が大きい外側部材102の表面にヒケ，フローマークが発生した場合は、品質を維持するために、表面に塗装を施してヒケ，フローマークを被覆する必要があり、量産性が悪く、コスト高になるという問題点があった。
【０００６】
ヒケは、加熱溶融されている樹脂が冷却硬化する際に、厚みが大きい部分が、厚みが小さい部分よりも冷却硬化が遅れることにより、収縮して表面に凹部が形成される現象である。従って、外部材102及び内部材103において、補強リブ104が存在する部分Ａは厚みが厚くなっているので、この部分Ａには図４に図示したように凹状のヒケが発生し易くなってしまう。
【０００７】
また、フローマークは、キャビティ内に流動するプラスチックの流れに乱流が生じた場合、このプラスチックの乱流が成形体の表面に跡として残った現象である。従って、補強リブ104が存在すると、プラスチックの流動に乱流が発生して成形後の外部材102及び内部材103の表面にフローマークが発生し易くなってしまう。
【０００８】
本発明は、上述の問題点を解決したもので、強度性及び外観性の双方を充足する構成部材から成る載置体を提供するものである。
【０００９】
【課題を解決するための手段】
添付図面を参照して本発明の要旨を説明する。
【００１０】
天板１と、底板２と、前記天板１及び前記底板２間に所定間隔をおいて設けられる左右側板３・４とで構成される載置体11であって、前記左右側板３・４として、合成樹脂製の外部材３ａ・４ａと外面に補強リブを形成した合成樹脂製の内部材３ｂ・４ｂとを重合した中空構造の左右側板３・４を採用し、前記内部材３ｂ・４ｂには前記外部材３ａ・４ａと重合連結する際のネジを止着する孔３ｂ”が設けられ、また、前記外部材３ａ・４ａには前記内部材３ｂ・４ｂの孔３ｂ”に合致してネジを螺着する円筒体12が設けられ、前記外部材３ａ・４ａと前記内部材３ｂ・４ｂとは前記孔３ｂ”，円筒体12及びネジにより重合連結されるものであることを特徴とする載置体に係るものである。
【００１１】
また、請求項１記載の載置体において、前記内部材３ｂ・４ｂの外面には格子状の補強リブが一体成形されていることを特徴とする載置体に係るものである。
【００１２】
また、請求項１，２いずれか１項に記載の載置体において、前記左右側板３・４には前記底板２に形成した取付孔２ａに係合する取付突片９が設けられていることを特徴とする載置体に係るものである。
【００１３】
また、請求項１〜３いずれか１項に記載の載置体において、前記内部材３ｂ・４ｂの内面にはシボ加工が施されていることを特徴とする載置体に係るものである。
【００１４】
また、請求項１〜４いずれか１項に記載の載置体において、前記載置体11には背板５が設けられていることを特徴とする載置体に係るものである。
【００１５】
また、請求項１〜５いずれか１項に記載の載置体において、この載置体11の天板１は、映像機器６が載置されるように構成されていることを特徴とする載置体に係るものである。
【００１６】
【発明の作用及び効果】
本発明は外観性と強度性という二つが要求されている載置体の構成部材を外部材と内部材という二部材で構成することにより、外部材には外観性の担保という役割を専属的に果たさせ、内部材には強度性の担保という役割を専属的に果たさせたものである。
【００１７】
従って、本発明に係る載置体の構成部材は、外部材には補強部材（補強リブ）は設けず、内部材には補強部材（補強リブ）を設け、この外部材及び内部材を重合する構造となっている。
【００１８】
よって、外部材にはヒケやフローマークが生じることはなく、外観性が良好となるとともに、内部材は補強部材（補強リブ）により強度に秀れ、この両者から成る載置体の構成部材は外観性及び強度性において従来のものと同等となり、且つ、従来のもののように表面塗装が不要な分だけコスト安にして量産性に秀れたものとなる。
【００１９】
【発明の実施の形態】
図面は本発明の一実施例を図示したものであり、以下に説明する。
【００２０】
本実施例は、図２，３に図示したように合成樹脂製の天板１，底板２，左右側板３・４，背板５を適宜連結してなる枠体ａの前部に、前面略中央部で左右に開閉可能な透明ガラス製の開閉扉７を配したものであって、映像機器６としてのテレビを天板１の上面に載置し得るテレビ用載置体11である。符号８は仕切り板である。
【００２１】
本実施例の左右側板３・４は、図１に図示したように板状の外部材３ａ・４ａと、格子状の補強リブ３ｂ'（図示省略の４ｂ'）を一体成形した内部材３ｂ・４ｂとを重合した中空構造のものである。
【００２２】
本実施例のように、左右側板３・４以外の構成部材（天板１，底板２，背板５）にも上記した図１に図示の構造を採用しても良いことは勿論である。
【００２３】
符号３ｂ”は内部材３ｂと外部材３ａとを重合連結する際に使用するネジを止着し得る孔，12は内部材３ｂに設けた孔３ｂ”に合致してネジを螺着し得る円筒体，９は底板２に形成した取付孔２ａに側板３・４を係合させる取付突片，10は天板１の裏面に形成された図示省略の凹部に嵌入し、当該天板１のズレを防止する突体である。
【００２４】
よって、本実施例に係る載置体11は、荷重に対する強度が要求される左右側板３・４を外部材３ａ・４ａと内部材３ｂ・４ｂとの間に補強リブ３ｂ'・４ｂ'を介在させて重合結合される構造としたことにより極めて強度性に秀れたものとなり、しかも、外部材３ａ・４ａを単なる板状に成形し、ヒケやフローマークが発生する原因となる補強リブ３ｂ'・４ｂ'を外部に露出しない内部材３ｂ・４ｂと一体成形にしたから、外部材３ａ・４ａの表面にヒケやフローマークが生じるのを確実に解消することができ極めて外観性にも秀れることになり、その上、外部材３ａ・４ａの表面が奇麗な面になるから、塗装などが不要となり量産性が向上しコスト安にして高品質な載置体11を製造することができる。
【００２５】
尚、必要に応じて内部材３ｂ・４ｂの内面には成形時に予めシボ加工や格子状のデザインを施すなどして意匠的外観性を向上し得るようにすると良い。
【図面の簡単な説明】
【図１】  本実施例に係る側板３の分解斜視図である。
【図２】  本実施例を説明する斜視図である。
【図３】  本実施例の使用状態を示す斜視図である。
【図４】  従来例に係る側板の平断面図である。
【符号の説明】
１  天板
２  底板
２ａ  取付孔
３  左側板
３ａ  外部材
３ｂ  内部材
３ｂ” 孔
４  右側板
４ａ  外部材
４ｂ  内部材
５  背板
６  映像機器
９  取付突片
11  載置体
12 円筒体
【図１】
0003793613.tif 000002
【図２】
0003793613.tif 000003
【図３】
0003793613.tif 000004
【図４】
0003793613.tif 000005